(57)【要約】【課題】光反射シートを用いることなく、光源からの光を反射させて光源収容部内全体が光っているように遊技者に見せる電飾装置を備えたパチンコ機を提供する。【解決手段】パチンコ機は、電飾装置を備え、前記電飾装置は、光源４６と対向して配置され、光源からの光が反射され、光源側に膨出された曲面状の第１の反射面６１ａと、第１の反射面と連設され、光源からの光が反射される第２の反射面５１ａと、第１の反射面及び第２の反射面それぞれと連設され、光源からの光が反射される第３の反射面６０ａと、第１乃至第３の反射面及び電飾基板４５によって設けられた開口と、を具備し、光源からの光が第１の反射面によって反射された第１光、光源からの光が第２の反射面によって反射された第２光、及び光源からの光が第３の反射面によって反射された第３光それぞれが前記開口を通過するように、光源、第１乃至第３の反射面それぞれは配置されている。【選択図】      図６
2008295566.tif 000002
【特許請求の範囲】
【請求項１】
電飾装置を備えたパチンコ機において、
前記電飾装置は、
光源を配置した電飾基板と、
前記光源と対向して配置され、前記光源から発せられた光が反射され、前記光源側に膨出された曲面状の第１の反射面と、
前記第１の反射面と前記光源との間の空間の一部を覆うように配置され、前記電飾基板上に立設され、前記第１の反射面と連設され、前記光源から発せられた光が反射される第２の反射面と、
前記空間の一部を覆うように配置され、前記電飾基板上に立設され、前記第１の反射面及び前記第２の反射面それぞれと連設され、前記光源から発せられた光が反射される第３の反射面と、
前記第１乃至第３の反射面及び前記電飾基板によって設けられた開口と、を具備し、
前記光源から発せられた光が前記第１の反射面によって反射された第１光、前記光源から発せられた光が前記第２の反射面によって反射された第２光、及び前記光源から発せられた光が前記第３の反射面によって反射された第３光それぞれが前記開口を通過するとともに、前記光源から発せられた光が前記第２の反射面によって反射された後に前記第１の反射面によって反射された第４光、及び前記光源から発せられた光が前記第３の反射面によって反射された後に前記第１の反射面によって反射された第５光それぞれが前記開口を通過するように、前記光源、前記第１乃至第３の反射面それぞれは配置されていることを特徴とするパチンコ機。
【発明の詳細な説明】
【技術分野】
【０００１】
本発明は、光反射シートを用いることなく、光源からの光をリフレクタで反射させて光源収容部内で光が分散しているように遊技者に見せる電飾装置を備えたパチンコ機に関する。
【背景技術】
【０００２】
従来のパチンコ機には、フロントパネルに様々な表示部が備えられるとともに、この表示部に光源を配置し、これにより遊技者に現在の状況等を知らせるとともに、パチンコ機の興味を引くようにしている。
【０００３】
従来のパチンコ機に用いられる照明具では、正面側及び裏面側それぞれに開口を有する光源収容部を備えており、この光源収容部を仕切り壁で仕切って複数の部屋を形成し、各部屋には正面側の開口に光を照射可能な配置で光源としての一つのＬＥＤが収容されている。このＬＥＤは各部屋の裏面側の開口に配置され、正面側の開口の前側には、受けた光の方向を変更可能な光透過型の光反射シートが設けられている。これにより、ＬＥＤから発せられた光を光反射シートによって拡散させて、正面側の開口全体を光らせることができる（例えば特許文献１参照）。
【０００４】
【特許文献１】登実３０９０４５１（００２５〜００３０段落、図２）
【発明の開示】
【発明が解決しようとする課題】
【０００５】
ところで、上述した光反射シートを用いることなく、正面側の開口において光源からの光を複数に分散させて遊技者に見せようとした場合、リフレクタを用いることが考えられる。例えば、遊技者から直接見えない位置（例えば底面）に光源としての一つのＬＥＤを配置し、そのＬＥＤからの光をリフレクタによって正面側の開口へ反射させることが考えられる。
【０００６】
しかし、ＬＥＤの光源は点光源であるために、単純に一枚のリフレクタによって光を反射させるだけでは、開口から外部へ照射される光は点でしか写らない。従って、正面側の開口において散らばった光を遊技者に見せるのは困難であった。
【０００７】
本発明は上記のような事情を考慮してなされたものであり、その目的は、光反射シートを用いることなく、光源からの光をリフレクタで反射させて光源収容部内で光が分散しているように遊技者に見せる電飾装置を備えたパチンコ機を提供することにある。
【課題を解決するための手段】
【０００８】
本発明に係るパチンコ機は、電飾装置を備え、前記電飾装置は、光源を配置した電飾基板と、前記光源と対向して配置され、前記光源から発せられた光が反射され、前記光源側に膨出された曲面状の第１の反射面と、前記第１の反射面と前記光源との間の空間の一部を覆うように配置され、前記電飾基板上に立設され、前記第１の反射面と連設され、前記光源から発せられた光が反射される第２の反射面と、前記空間の一部を覆うように配置され、前記電飾基板上に立設され、前記第１の反射面及び前記第２の反射面それぞれと連設され、前記光源から発せられた光が反射される第３の反射面と、前記第１乃至第３の反射面及び前記電飾基板によって設けられた開口と、を具備し、前記光源から発せられた光が前記第１の反射面によって反射された第１光、前記光源から発せられた光が前記第２の反射面によって反射された第２光、及び前記光源から発せられた光が前記第３の反射面によって反射された第３光それぞれが前記開口を通過するとともに、前記光源から発せられた光が前記第２の反射面によって反射された後に前記第１の反射面によって反射された第４光、及び前記光源から発せられた光が前記第３の反射面によって反射された後に前記第１の反射面によって反射された第５光それぞれが前記開口を通過するように、前記光源、前記第１乃至第３の反射面それぞれは配置されていることを特徴とする。
上記パチンコ機の電飾装置によれば、光源からの光を反射させて前記開口において光が分散しているように遊技者に見せることができる。
【発明を実施するための最良の形態】
【０００９】
以下、図面を参照して本発明の実施の形態について説明する。
１．パチンコ機の機械的構成および電気的構成について
図１は、本発明の実施の形態による遊技盤を示す前面図である。図２は、本発明の実施の形態による遊技機の全体構成を示す前面図である。図３は、本発明の実施の形態による遊技機の全体構成を示す後面図である。図２に示す左方向の矢印は遊技盤の正面に向かって左方向を示す記載であり、図３に示す右方向の矢印は遊技盤の正面に向かって右方向を示す記載である。
【００１０】
パチンコホールの台島には、図２および図３に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【００１１】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図３に示すように、発射モータ１０が固定されており、発射モータ１０の回転軸には、図２に示すように、打球槌１１が連結されている。この発射モータ１０は打球槌１１の駆動源に相当するものであり、発射ハンドル９が図２の時計回り方向へ回動操作されたときには発射モータ１０に駆動電源が与えられ、打球槌１１が駆動することに基づいて上皿６内のパチンコ球を上皿６内から弾き出す。
【００１２】
前枠２の前面には、図２に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１３】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘１９が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘１９に当りながら遊技領域１８内を落下する。即ち、遊技領域１８は発射通路１７の出口２０から放出されたパチンコ球が転動可能な最大範囲である転動領域に相当する。
【００１４】
窓枠１２には、図２に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。ガラス窓１３の下方には、操作スイッチ７８が設けられている。この操作スイッチ７８は、図２に示すように、上皿６に前方から操作可能に固定された自己復帰形のプッシュスイッチからなるものである。
【００１５】
遊技盤１４の前面には、図１に示すように、遊技領域１８内に位置する図柄表示装置２３が設けられている。この図柄表示装置２３には、遊技情報などの映像が映し出される表示器２５（例えば、ＬＣＤなど）が備えられている。さらに、かかる図柄表示装置２３には、パトランプ２４が設けられている。このパトランプ２４は、その上方に板状の突起物が設けられており、遊技盤１４（図１、図２参照）を落下転動するパチンコ球が衝突することが殆どないので、パチンコ球の落下転動とは無関係の遊技上の装飾物である。
【００１６】
図柄表示装置２３の後面には図柄基板ケースが固定されており、図柄基板ケース内には図４に示す図柄制御基板３０が収納されている。この図柄制御基板３０には、図柄表示制御手段に相当する図柄表示制御用ＣＰＵ３１や、図柄表示制御用ＲＯＭ３２、図柄表示制御用ＲＡＭ３３、入力・出力ポート３４、ＶＤＰ３５などが搭載されており、図柄表示制御用ＣＰＵ３１は、図柄表示制御用ＲＯＭ３２及び図柄表示制御用ＲＡＭ３３などに記憶された制御方法その他の技術情報に基づいて、ＶＤＰ３５に接続された表示器２５（図１参照）の表示内容を制御する。
【００１７】
遊技盤１４の遊技領域１８内には、図１に示すように、上面が開口するポケット状の始動口２６が設けられている。また、遊技領域１８内には、始動口２６の下方に位置して前面が開口する四角筒状の大入賞口２７が設けられている。
【００１８】
遊技盤１４の後面には、図３に示すように、センタカバー４１が着脱可能に装着されている。このセンタカバー４１は前面が開口する容器状をなすものであり、図柄表示装置２３および図柄基板ケースは後方からセンタカバー４１によって覆われている。
【００１９】
前枠２の後面には、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００２０】
メインセット５４の左側部には賞球払出装置５７が着脱可能に装着されている。この賞球払出装置５７は、パチンコ球が始動口２６内および大入賞口２７内に入賞することに基づいてパチンコ球を賞品球として放出する。
【００２１】
メインセット５４の後面には、図３に示すように、メイン基板ケース５９の前方に位置して払出基板ケース６６が固定されている。
【００２２】
また、メインセット５４の後面には、図３に示すように、センタカバー４１の下方に位置してメイン基板ケース５９が固定されている。このメイン基板ケース５９内には、図４に示すようにメイン制御基板２８が収納されており、メイン制御基板２８には、当落判定手段、可変情報選択手段などのメイン制御手段に相当するメイン制御用ＣＰＵ２９や、メイン制御用ＲＯＭ３６、メイン制御用ＲＡＭ３７、入力・出力ポート３８などが搭載されている。メイン制御基板２８には図柄制御基板３０が電気的に接続されており、図柄制御基板２０には電飾装置制御基板４０が電気的に接続されている。
【００２３】
また、電飾装置制御基板４０には、電飾装置制御手段に相当する電飾装置制御用ＣＰＵ３９や、電飾装置制御用ＲＯＭ４２、電飾装置制御用ＲＡＭ４３、入力・出力ポート４４、などが搭載されており、電飾装置制御用ＣＰＵ３９は、電飾装置制御用ＲＯＭ４２及び電飾装置制御用ＲＡＭ４３などに記憶された制御方法その他の技術情報に基づいて、入力・出力ポート４４に接続された電飾装置であるパトランプ２４（図１参照）の動作内容を制御する。
【００２４】
さらに、図４のブロック図においては、３つの入力・出力ポート３８，３４，４４を介して、メイン制御用ＣＰＵ２９と、図柄表示制御用ＣＰＵ３１、電飾装置制御用ＣＰＵ３９がそれぞれ接続されている。従って、メイン制御用ＣＰＵ２９は、図柄表示制御用ＣＰＵ３１及び電飾装置制御用ＣＰＵ３９を介して、表示器２５の表示内容に合わせてパトランプ２４の動作内容を制御することができる。
【００２５】
２．パチンコ機の遊技機能について
遊技者が上皿６内にパチンコ球を投入して発射ハンドル９を時計回り方向へ回動操作すると、遊技盤１４内にパチンコ球が発射され、障害釘１９に当りながら落下する。このパチンコ球が始動口２６内に入賞すると、賞球払出装置５７から設定個数のパチンコ球が上皿６内に賞品球として払出されるとともに、図柄遊技が開始される。この後、遊技者の期待度を高めたいときにパトランプ２４が点灯する。
【００２６】
３．電飾装置であるパトランプの構造について
図５〜図９は、図１に示すパトランプ２４の外観及び内部構造の詳細を示すものである。図５はパトランプを示す正面図であり、図６はパトランプの内部構造を示す正面図であり、図７は図５に示すＡ−Ａ線によって切断した断面図であり、図８はパトランプの内部構造を斜め下方から視た斜視図であり、図９はパトランプの内部構造を斜め上方から視た斜視図である。図１０はパトランプのリフレクタを示す斜視図である。
【００２７】
図５〜図１０に示すように、パトランプ２４は電飾基板４５を有しており、この電飾基板４５の表面には第１乃至第４の光源（例えばＬＥＤ）４６〜４９が配置されている。つまり、電飾基板４５は第１乃至第４の光源４６〜４９それぞれから光を発する基板である。この電飾基板４５の上にはリフレクタ５０が配置されており、電飾基板４５及びリフレクタ５０の側面には板状部材６２が配置されている。尚、板状部材６２は反射部材に変更しても良い。また、リフレクタ５０の表面には、光を反射させる機能を付与するために金属めっきが施されている。尚、リフレクタ５０の表面には光を反射させる機能が付与されていれば良いので、金属めっきを施す方法以外の方法を用いても良く、例えば、光の反射率が高い白色等の不透明の樹脂でリフレクタの表面を形成しても良い。
【００２８】
また、リフレクタ５０は、図１０に示すように、第１乃至第５の反射板５１〜５３，５８，６０と、膨出部材６１とを有している。詳細に説明すると、第１の光源４６と第２の光源４７との間の電飾基板４５上には第１の反射板５１が立設されており、第２の光源４７と第３の光源４８との間の電飾基板４５上には第２の反射板５２が立設されており、第３の光源４８と第４の光源４９との間の電飾基板４５上には第３の反射板５３及び第４の反射板５８が立設されており、第４の光源４９と第１の光源４６との間の電飾基板４５上には第５の反射板６０が立設されている。
【００２９】
第２の反射板５２と第１の反射板５１とが作る角度、第１の反射板５１と第５の反射板６０とが作る角度、及び、第５の反射板６０と第４の反射板５８とが作る角度それぞれは鋭角であり、これら３つの角度の和は約１８０°である（図７参照）。第２の反射板５２と第３の反射板５３とが作る角度、及び、第３の反射板５３と第４の反射板５８とが作る角度それぞれは約９０°であり、これら２つの角度の和は約１８０°である（図７参照）。
【００３０】
また、反射部材６２は、第３の反射板５３と電飾基板４５の側面とが接するように配置されている。また、膨出部材６１は、第１乃至第４の光源４６〜４９それぞれに対向するように配置され、且つ第１乃至第５の反射板５１〜５３，５８，６０それぞれに連設されている。膨出部材６１は、第１乃至第４の光源４６〜４９それぞれの側に膨出した形状を有している。この膨出した面は、光を反射する曲面を有しており、同一球面の一部に相当することが好ましい。膨出した面を同一球面の一部に相当するような形状とすることにより、膨出した面の加工を比較的容易に実施することができる。
【００３１】
［第１光源収容部］
図６に示すように、第１の光源４６と対向する位置にあり且つ第１の光源４６から発せられた光を反射する膨出部材６１の曲面には第１の反射面６１ａが形成されており、第１の反射面６１ａの中央付近６３で第１の光源４６からの光を反射するようになっている。
第１の反射面６１ａと第１の光源４６との間の第１空間の一部を覆うように第１の反射板５１が配置されており、第１の反射板５１は第１の反射面６１ａと連設されており、第１の光源４６から発せられた光を第１の反射板５１の第２の反射面５１ａの下方付近６４で反射するようになっている。また、第１の反射板５１は、電飾基板４５に対して垂直に立設されてなく、第２の光源４７側へやや傾いた状態で立設されている（図８〜図１０参照）。
第１の反射面６１ａと第１の光源４６との間の第１空間の一部を覆うように第５の反射板６０が配置されており、第５の反射板６０は第１の反射面６１ａ及び第１の反射板５１それぞれと連設されており、第１の光源４６から発せられた光を第５の反射板６０の第３の反射面６０ａの下方付近６５で反射するようになっている。また、第５の反射板６０は、電飾基板４５に対して垂直に立設されてなく、第４の光源４９側へやや傾いた状態で立設されている（図８〜図１０参照）。
また、第１の光源４６から発せられた光が第２の反射面５１ａによって反射された後に第１の反射面６１ａの左側付近６７で反射するようになっており、第１の光源４６から発せられた光が第３の反射面６０ａによって反射された後に第１の反射面６１ａの右側付近６８で反射するようになっている。
前記第１空間は、第１乃至第３の反射面６１ａ，５１ａ，６０ａ及び電飾基板４５によって囲まれており、前記第１空間を開放する第１開口が第１乃至第３の反射面６１ａ，５１ａ，６０ａ及び電飾基板４５によって設けられている。
【００３２】
第１の光源４６、第１乃至第３の反射面６１ａ，５１ａ，６０ａそれぞれは、次の条件を満たすように配置されている。この条件とは、第１の光源４６から発せられた光が第１の反射面６１ａによって反射された第１光、第１の光源４６から発せられた光が第２の反射面５１ａによって反射された第２光、及び第１の光源４６から発せられた光が第３の反射面６０ａによって反射された第３光それぞれが前記第１開口を通過すること、第１の光源４６から発せられた光が第２の反射面５１ａによって反射された後に第１の反射面６１ａによって反射された第４光、及び第１の光源４６から発せられた光が第３の反射面６０ａによって反射された後に第１の反射面６１ａによって反射された第５光それぞれが前記第１開口を通過することである。これにより、一つの光源である第１の光源４６から発せられた光を前記第１開口を通して５つの光に増やすことができる。つまり、従来技術の光反射シートを用いることなく、光源からの光を第１乃至第３の反射面６１ａ，５１ａ，６０ａで反射させて第１光源収容部内（前記第１空間の全体）で光が分散しているように遊技者に見せることができる。
【００３３】
他の光源収容部においても上述した構成とほぼ同じような構成をとることにより、上述した効果と同様の効果を得るようにしている。以下に詳細に説明する。
【００３４】
［第２光源収容部］
第２の光源４７と対向する位置にあり且つ第２の光源４７から発せられた光を反射する膨出部材６１の曲面には第４の反射面６１ｂが形成されており、第４の反射面６１ｂの中央付近で第２の光源４７からの光を反射するようになっている。
第４の反射面６１ｂと第２の光源４７との間の第２空間の一部を覆うように第２の反射板５２が配置されており、第２の反射板５２は第４の反射面６１ｂと連設されており、第２の光源４７から発せられた光を第２の反射板５２の第５の反射面５２ａの下方付近で反射するようになっている。また、第２の反射板５２は、電飾基板４５に対して垂直に立設されてなく、第２の光源４７側へやや傾いた状態で立設されている（図８、図９参照）。
第４の反射面６１ｂと第２の光源４７との間の第２空間の一部を覆うように第１の反射板５１が配置されており、第１の反射板５１は第４の反射面６１ｂ及び第２の反射板５２それぞれと連設されており、第２の光源４７から発せられた光を第１の反射板５１の第６の反射面５１ｂの下方付近で反射するようになっている。
また、第２の光源４７から発せられた光が第５の反射面５２ａによって反射された後に第４の反射面６１ｂの左側付近で反射するようになっており、第２の光源４７から発せられた光が第６の反射面５１ｂによって反射された後に第４の反射面６１ｂの右側付近で反射するようになっている。
前記第２空間は、第４乃至第６の反射面６１ｂ，５２ａ，５１ｂ及び電飾基板４５によって囲まれており、前記第２空間を開放する第２開口が第４乃至第６の反射面６１ｂ，５２ａ，５１ｂ及び電飾基板４５によって設けられている。
【００３５】
第２の光源４７、第４乃至第６の反射面６１ｂ，５２ａ，５１ｂそれぞれは、次の条件を満たすように配置されている。この条件とは、第２の光源４７から発せられた光が第４の反射面６１ｂによって反射された第６光、第２の光源４７から発せられた光が第５の反射面５２ａによって反射された第７光、及び第２の光源４７から発せられた光が第６の反射面５１ｂによって反射された第８光それぞれが前記第２開口を通過すること、第２の光源４７から発せられた光が第５の反射面５２ａによって反射された後に第４の反射面６１ｂによって反射された第９光、及び第２の光源４７から発せられた光が第６の反射面５１ｂによって反射された後に第４の反射面６１ｂによって反射された第１０光それぞれが前記第２開口を通過することである。これにより、一つの光源である第２の光源４７から発せられた光を前記第２開口を通して５つの光に増やすことができる。
【００３６】
［第３光源収容部］
第３の光源４８と対向する位置にあり且つ第３の光源４８から発せられた光を反射する膨出部材６１の曲面には第７の反射面（図示せず）が形成されており、第７の反射面の中央付近で第３の光源４８からの光を反射するようになっている。
第７の反射面と第３の光源４８との間の第３空間の一部を覆うように第３の反射板５３が配置されており、第３の反射板５３は第７の反射面と連設されており、第３の光源４８から発せられた光を第３の反射板５３の第８の反射面５３ａの下方付近で反射するようになっている（図７参照）。また、第３の反射板５３は、電飾基板４５に対して垂直に立設されてなく、第３の光源４８とは逆側へやや傾いた状態で立設されている。
第７の反射面と第３の光源４８との間の第３空間の一部を覆うように第２の反射板５２が配置されており、第２の反射板５２は第７の反射面及び第３の反射板５３それぞれと連設されており、第３の光源４８から発せられた光を第２の反射板５２の第９の反射面５２ｂの下方付近で反射するようになっている。
また、第３の光源４８から発せられた光が第８の反射面５３ａによって反射された後に第７の反射面の左側付近で反射するようになっており、第３の光源４８から発せられた光が第９の反射面５２ｂによって反射された後に第７の反射面の右側付近で反射するようになっている。
前記第３空間は、第７乃至第９の反射面５３ａ，５２ｂ及び電飾基板４５によって囲まれており、前記第３空間を開放する第３開口が第７乃至第９の反射面５３ａ、５２ｂ、反射部材６２及び電飾基板４５によって設けられている。
【００３７】
第３の光源４８、第７乃至第９の反射面５３ａ，５２ｂそれぞれは、次の条件を満たすように配置されている。この条件とは、前述した第２及び第３光源収容部と同様である。
【００３８】
［第４光源収容部］
第４の光源４９と対向する位置にあり且つ第４の光源４９から発せられた光を反射する膨出部材６１の曲面には第１０の反射面（図示せず）が形成されており、第１０の反射面の中央付近で第４の光源４９からの光を反射するようになっている。
第１０の反射面と第４の光源４９との間の第４空間の一部を覆うように第５の反射板６０が配置されており、第５の反射板６０は第１０の反射面と連設されており、第４の光源４９から発せられた光を第５の反射板６０の第１１の反射面６０ｂの下方付近で反射するようになっている（図７参照）。
第１０の反射面と第４の光源４９との間の第４空間の一部を覆うように第４の反射板５８が配置されており、第４の反射板５８は第１０の反射面及び第５の反射板６０それぞれと連設されており、第４の光源４９から発せられた光を第４の反射板５８の第１２の反射面５８ａの下方付近で反射するようになっている。また、第４の反射板５８は、電飾基板４５に対して垂直に立設されてなく、第４の光源４９とは逆側へやや傾いた状態で立設されている。
また、第４の光源４９から発せられた光が第１１の反射面によって反射された後に第１０の反射面の左側付近で反射するようになっており、第４の光源４９から発せられた光が第１２の反射面５８ａによって反射された後に第１０の反射面の右側付近で反射するようになっている。
前記第４空間は、第１０乃至第１２の反射面６０ｂ，５８ａ及び電飾基板４５によって囲まれており、前記第４空間を開放する第４開口が第１０乃至第１２の反射面６０ｂ，５８ａ及び電飾基板４５によって設けられている。
【００３９】
第４の光源４９、第１０乃至第１２の反射面６０ｂ，５８ａそれぞれは、次の条件を満たすように配置されている。この条件とは、前述した第２及び第３光源収容部と同様である。
また、前記第１乃至第４開口それぞれには透明カットレンズ７０が嵌め込まれている。
【００４０】
また、リフレクタ５０の第１乃至第５の反射板５１〜５３，５８，６０それぞれと電飾基板４５との間には隙間が設けられている。このため、第１乃至第４の光源４６〜４９それぞれから発せられる光を、前記隙間を介して隣の空間（隣の光源収容部）へ少し漏れるようにすることができ、それにより光源収容部が連続的に光っているように見せることができる。例えば、第１乃至第４の光源４６〜４９それぞれに流す電流量を０−Ｌｏｗ−Ｈｉｇｈ  のように順次制御することにより、光源収容部が連続的に光っているように見せることもできるが、そのような制御をしなくても、前記隙間を介して隣の空間へ光が少し漏れるようにすることで、光源収容部が連続的に光っているように見せることができる。
【００４１】
上記実施の形態によれば、水平に置かれた１枚の電飾基板４５上に第１乃至第４の光源４６〜４９を配置し、各光源毎に区切られたリフレクタ５０を配置し、リフレクタ５０の天井面を曲面状にすることにより、各光源からの光の反射光を複数得ることができる。従って、１枚の電飾基板４５と少ない光源によって光源収容部内で光が分散しているように遊技者に見せることができる。
【００４２】
また、膨出部材６１の膨出した面を曲面とすることにより、前記膨出した面を平面とした場合に比べて、パトランプ２４が光っていることを遊技者が見られる視野角を広くすることができる。
【００４３】
また、第１乃至第４の光源４６〜４９を発光させるタイミングを電飾装置制御基板４０によって様々に変更することにより、パトランプ２４が光るパターンを様々に変更することができる。
【００４４】
また、複数の光源収容部を設けた場合、膨出部材６１の膨出した面を１つの曲率の球面にすることにより、膨出した面の加工が容易になる。
【００４５】
尚、本発明は上記の実施の形態に限定されず、本発明の主旨を逸脱しない範囲内で種々変更して実施することが可能である。例えば、光源の数は３つ以下でも良いし、５つ以上でも良い。
【００４６】
また、上記実施の形態から把握できる技術的思想について以下に記載する。
（１）  電飾装置を備えたパチンコ機において、
前記電飾装置は、
第１の光源と第２の光源を配置した電飾基板と、
前記第１の光源と対向して配置され、前記第１の光源から発せられた光が反射され、前記第１の光源側に膨出された曲面状の第１の反射面と、
前記第１の反射面と前記第１の光源との間の第１空間の一部を覆うように配置され、前記電飾基板上に立設され、前記第１の反射面と連設され、前記第１の光源から発せられた光が反射される第２の反射面と、
前記第１空間の一部を覆うように配置され、前記電飾基板上に立設され、前記第１の反射面及び前記第２の反射面それぞれと連設され、前記第１の光源から発せられた光が反射される第３の反射面と、
前記第１乃至第３の反射面及び前記電飾基板によって設けられた第１開口と、
前記第２の光源と対向して配置され、前記第２の光源から発せられた光が反射され、前記第２の光源側に膨出された曲面状の第４の反射面と、
前記第４の反射面と前記第２の光源との間の第２空間の一部を覆うように配置され、前記電飾基板上に立設され、前記第４の反射面と連設され、前記第２の光源から発せられた光が反射される第５の反射面と、
前記第２空間の一部を覆うように配置され、前記電飾基板上に立設され、前記第４の反射面及び前記第５の反射面それぞれと連設され、前記第２の光源から発せられた光が反射される第６の反射面と、
前記第４乃至第６の反射面及び前記電飾基板によって設けられた第２開口と、を具備し、
前記第１の光源から発せられた光が前記第１の反射面によって反射された第１光、前記第１の光源から発せられた光が前記第２の反射面によって反射された第２光、及び前記第１の光源から発せられた光が前記第３の反射面によって反射された第３光それぞれが前記第１開口を通過するとともに、前記第１の光源から発せられた光が前記第２の反射面によって反射された後に前記第１の反射面によって反射された第４光、及び前記第１の光源から発せられた光が前記第３の反射面によって反射された後に前記第１の反射面によって反射された第５光それぞれが前記第１開口を通過するように、前記第１の光源、前記第１乃至第３の反射面それぞれは配置されており、
前記第２の光源から発せられた光が前記第４の反射面によって反射された第６光、前記第２の光源から発せられた光が前記第５の反射面によって反射された第７光、及び前記第２の光源から発せられた光が前記第６の反射面によって反射された第８光それぞれが前記第２開口を通過するとともに、前記第２の光源から発せられた光が前記第５の反射面によって反射された後に前記第４の反射面によって反射された第９光、及び前記第２の光源から発せられた光が前記第６の反射面によって反射された後に前記第４の反射面によって反射された第１０光それぞれが前記第２開口を通過するように、前記第２の光源、前記第４乃至第６の反射面それぞれは配置されていることを特徴とするパチンコ機。
【００４７】
（２）技術思想（１）において、前記第１の反射面と前記第２の反射面は同一球面の一部に相当することを特徴とするパチンコ機。
【図面の簡単な説明】
【００４８】
【図１】本発明の実施の形態による遊技盤を示す前面図。
【図２】本発明の実施の形態による遊技機の全体構成を示す前面図。
【図３】本発明の実施の形態による遊技機の全体構成を示す後面図。
【図４】図１〜図３に示す遊技機の制御部を示すブロック図。
【図５】図１に示すパトランプを示す正面図。
【図６】図１に示すパトランプの内部構造を示す正面図。
【図７】図５に示すＡ−Ａ線によって切断した断面図。
【図８】図１に示すパトランプの内部構造を斜め下方から視た斜視図。
【図９】図１に示すパトランプの内部構造を斜め上方から視た斜視図。
【図１０】図１に示すパトランプのリフレクタを示す斜視図。
【符号の説明】
【００４９】
４５…電飾基板、４６…第１の光源、４７…第２の光源、５１ａ…第２の反射面、５１ｂ…第６の反射面、５２ａ…第５の反射面、６０ａ…第３の反射面、膨出部材６１、６１ａ…第１の反射面、６１ｂ…第４の反射面
【図１】
2008295566.tif 000003
【図２】
2008295566.tif 000004
【図３】
2008295566.tif 000005
【図４】
2008295566.tif 000006
【図５】
2008295566.tif 000007
【図６】
2008295566.tif 000008
【図７】
2008295566.tif 000009
【図８】
2008295566.tif 000010
【図９】
2008295566.tif 000011
【図１０】
2008295566.tif 000012